(57)【要約】【課題】  Ｚ折りモード中に給紙されていた用紙が給紙トレイになくなった場合にでも、画像形成動作が可能な用紙を出来る限り選択することができる画像形成装置を提供することを目的とする。【解決手段】  Ｚ折り印刷中に用紙がなくなった時に、まず、印刷中の用紙と同サイズ、同方向の用紙があるか判断する（ステップＳ１００）。同サイズ、同方向の用紙がある場合は（ステップＳ１００／ＹＥＳ）、同サイズ、同方向の用紙に切り換えて処理動作を継続する（ステップＳ１０４）。また、印刷中の用紙と同サイズ、同方向の用紙が無いと判断された場合は（ステップＳ１００／ＮＯ）、印刷中の用紙と同サイズ、異方向の用紙があるか否かの判断をする（ステップＳ１０１）。同サイズ、異方向の用紙が無い場合は（ステップＳ１０１／ＮＯ）、印刷動作を停止させる（ステップＳ１０５）。【選択図】  図７
2006131345.tif 000002
【特許請求の範囲】
【請求項１】
複数の給紙トレイと、前記給紙トレイに積載された転写紙を該転写紙に画像形成を行う画像処理手段に給紙する給紙手段と、画像形成された転写紙をＺ折りするＺ折り手段を作動させるＺ折りモードを有する画像形成装置において、
前記給紙トレイに積載された転写紙の有無を検知する検知手段と、
前記複数ある給紙トレイの中から一つの給紙トレイを選択する選択手段と、
前記選択手段によって選択された前記給紙トレイに積載されている転写紙がＺ折モードで画像形成されていた転写紙と同一サイズ、同一方向であるかを判断する判断手段とを備え、
前記画像処理手段によって転写紙に画像形成を行った後、前記転写紙をＺ折りするＺ折りモード中に、
前記検知手段が前記給紙トレイに積載された転写紙が存在しないと検知した時に、前記選択手段が複数ある給紙トレイの中から転写紙が存在する前記給紙トレイを選択し、選択された前記給紙トレイに積載された転写紙が、前記Ｚ折モードで画像形成を行っていた時の転写紙と同一サイズ、同一方向の転写紙であるかを判断手段が判断することを特徴とする画像形成装置。
【請求項２】
前記判断手段が、前記選択手段によって選択された給紙トレイに積載された転写紙がＺ折モードで画像形成していた時の転写紙と同一サイズ、異方向であるという判断をした場合に、前記判断手段による判断結果に基づいてＺ折モードを中止する中止手段を有することを特徴とする請求項１記載の画像形成装置。
【請求項３】
前記中止手段が、前記Ｚ折モードを中止した時、操作内容を表示する表示手段にＺ折り中止表示として表示させる中止表示手段を有することを特徴とする請求項２記載の画像形成装置。
【請求項４】
前記表示手段は、前記Ｚ折り中止表示を表示することが解除されるまで表示し続けることを特徴とする請求項３記載の画像形成装置。
【請求項５】
給紙トレイから給紙された転写紙に画像形成を行った後、画像形成された転写紙をＺ折り処理するＺ折りモードを備えた画像形成方法において、
前記給紙トレイに積載された転写紙の有無を検知する検知工程と、
前記検知工程による検知結果によって前記給紙トレイに転写紙が存在しない場合には、複数ある給紙トレイの中から転写紙が存在する給紙トレイを選択する選択工程と、
前記選択工程によって選択された給紙トレイに積載されている転写紙が前記Ｚ折モードで使用されていた転写紙と同一サイズ、同方向であるかを判定する判定工程とを有することを特徴とする画像形成方法。
【請求項６】
前記判定工程は、前記選択工程によって選択された給紙トレイに積載されている転写紙が、Ｚ折りモード中に使用されていた転写紙と同一サイズ、異方向の転写紙と判定した場合には、Ｚ折りの処理を中止することを特徴とする請求項５記載の画像形成方法。
【請求項７】
前記判定工程は、前記Ｚ折りの処理を中止すると共に、前記Ｚ折り処理の中止をユーザに対して報知する報知工程を有することを特徴とする請求項６記載の画像形成方法。
【請求項８】
前記報知工程は、前記Ｚ折り処理の中止の報知が解除されるまで、報知し続けることを特徴とする請求項７記載の画像形成方法。
【発明の詳細な説明】
【技術分野】
【０００１】
本発明は、折り機を備えた画像形成装置及び画像形成方法に関し、特に、Ｚ折り原稿を取り扱う画像形成装置及び画像形成方法に関する。
【背景技術】
【０００２】
近年、複写機、プリンタ、これら複合機等の画像形成装置に対して、プリントされた用紙を自動的に折り畳む装置が提供されている。このような折り装置では出力された用紙を２つ折りやＺ字状に３つ折り（Ｚ折り）にして出力することが可能となる。
【０００３】
また、２つ折りや３つ折りを行う画像形成装置として、以下に示す従来技術がある。
特開２００２−６０１２７号公報（以下、特許文献１）には、小型の二つ折り機能及び三折り機能を備えた画像形成装置が記載されている。
【０００４】
特許文献１に記載されている画像形成装置は、折り処理装置に折り処理させる折りモードの設定状態に基づいて、原稿給送装置により給送される一連の原稿束の中に異なるサイズの原稿が混在している場合に、各原稿サイズに応じた転写材を順次給紙し、順次給紙される転写材に対して各原稿画像に基づく画像形成を順次行う原稿混載モードの設定状態を制御することで折り処理モードの設定に伴って原稿混載処理モードを自動設定して折り処理が必要とされるコピージョブの大半で設定される原稿混載処理をユーザが改めて設定することなく所望のコピージョブの実行が可能である。
【特許文献１】特開２００２−６０１２７号公報
【発明の開示】
【発明が解決しようとする課題】
【０００５】
しかしながら、Ｚ折りは装置の機構上、用紙の搬送方向に垂直な方向のみ折ることが可能な構成が一般的であり、したがって用紙搬送方向が長辺となる用紙（タテ方向の用紙）がＺ折り可能であり、用紙搬送方向が短辺となる用紙（ヨコ方向の用紙）はＺ折りを行うことができない。
【０００６】
一方、給紙中の給紙トレイの用紙がなくなった場合に、同一サイズ、同一方向または同一サイズ、異方向の他の給紙トレイの用紙を使用して画像形成動作を継続する機能が一般的に提供されているが、Ｚ折りモードの場合は、装置のＺ折り可能方向の制約から同一サイズ、異方向の用紙を使用して画像形成動作を継続することをおこなっていなかった。
【０００７】
本発明は係る問題に鑑みてなされたもので、Ｚ折りモード中に給紙されていた用紙が給紙トレイになくなった場合にでも、画像形成動作が可能な用紙を出来る限り選択することができる画像形成装置及び画像形成方法を提供することを目的とする。
【課題を解決するための手段】
【０００８】
上記目的を達成するために請求項１記載の画像形成装置は、複数の給紙トレイと、給紙トレイに積載された転写紙を該転写紙に画像形成を行う画像処理手段に給紙する給紙手段と、画像形成された転写紙をＺ折りするＺ折り手段を作動させるＺ折りモードを有する画像形成装置において、給紙トレイに積載された転写紙の有無を検知する検知手段と、複数ある給紙トレイの中から一つの給紙トレイを選択する選択手段と、選択手段によって選択された給紙トレイに積載されている転写紙がＺ折モードで画像形成されていた転写紙と同一サイズ、同一方向であるかを判断する判断手段とを備え、画像処理手段によって転写紙に画像形成を行った後、転写紙をＺ折りするＺ折りモード中に、検知手段が給紙トレイに積載された転写紙が存在しないと検知した時に、選択手段が複数ある給紙トレイの中から転写紙が存在する給紙トレイを選択し、選択された給紙トレイに積載された転写紙が、Ｚ折モードで画像形成を行っていた時の転写紙と同一サイズ、同一方向の転写紙であるかを判断手段が判断することを特徴とする。
【０００９】
請求項２記載の発明は、請求項１記載の画像形成装置であって、判断手段が、選択手段によって選択された給紙トレイに積載された転写紙がＺ折モードで画像形成していた時の転写紙と同一サイズ、異方向であるという判断をした場合に、判断手段による判断結果に基づいてＺ折モードを中止する中止手段を有することを特徴とする。
【００１０】
請求項３記載の発明は、請求項２記載の画像形成装置であって、中止手段が、Ｚ折モードを中止した時、操作内容を表示する表示手段にＺ折り中止表示として表示させる中止表示手段を有することを特徴とする。
【００１１】
請求項４記載の発明は、請求項３記載の画像形成装置であって、表示手段は、Ｚ折り中止表示を表示することが解除されるまで表示し続けることを特徴とする。
【００１２】
請求項５記載の画像形成方法は、給紙トレイから給紙された転写紙に画像形成を行った後、画像形成された転写紙をＺ折り処理するＺ折りモードを備えた画像形成方法において、給紙トレイに積載された転写紙の有無を検知する検知工程と、検知工程による検知結果によって給紙トレイに転写紙が存在しない場合には、複数ある給紙トレイの中から転写紙が存在する給紙トレイを選択する選択工程と、選択工程によって選択された給紙トレイに積載されている転写紙がＺ折モードで使用されていた転写紙と同一、同方向であるかを判定する判定工程とを有することを特徴とする。
【００１３】
請求項５記載の画像形成方法は、判定工程は、選択工程によって選択された給紙トレイに積載されている転写紙が、Ｚ折りモード中に使用されていた転写紙と同一、異方向の転写紙と判定した場合には、Ｚ折りの処理を中止することを特徴とする。
【００１４】
請求項７記載の発明は、請求項６記載の画像形成方法であって、判定工程は、Ｚ折りの処理を中止すると共に、Ｚ折り処理の中止をユーザに対して報知する報知工程を有することを特徴とする。
【００１５】
請求項８記載の発明は、請求項７記載の画像形成方法であって、報知工程は、Ｚ折り処理の中止の報知が解除されるまで、報知し続けることを特徴とする。
【発明の効果】
【００１６】
本発明によれば、画像形成された転写紙をＺ折りするＺ折りモード中に用紙がなくなってしまった場合でも選択手段によって他の給紙トレイを選択し、選択された給紙トレイに積載された転写紙が判断手段によって、Ｚ折りモード中に使用していた転写紙と同サイズ、同方向の転写紙であるかを判断することで、印刷を中断することなく画像形成動作を行うことができる。
【発明を実施するための最良の形態】
【００１７】
次に、添付図面を参照して本実施形態を説明する。
図１は、本実施形態の画像形成装置の構成を示し、図４の本実施形態の画像形成装置の制御系の構成を示す。
図１に示すように、自動原稿送り装置（以下、ＡＤＦ）１にある原稿台２に原稿の画像面を上にして置かれた原稿束は、操作部３０上のスタートキー３４が押下されると、一番上の原稿から給送ローラ３、給送ベルト４によってコンタクトガラス６上の所定の位置に給送される。
【００１８】
読取ユニット５０によってコンタクトガラス６上の原稿の画像データを読み取り後、読み取りが終了した原稿は、給送ベルト４及び排送ローラ５によって排出される。さらに、原稿セット検知７にて原稿台２に次の原稿が有るとことを検知した場合、前原稿と同様にコンタクトガラス６上に給送される。給送ローラ３、給送ベルト４、排送ローラ５はモータによって駆動される。
【００１９】
第１トレイ８、第２トレイ９、第３トレイ１０に積載された転写紙は、各々、第１給紙装置１１、第２給紙装置１２、第３給紙装置１３によって給紙され、縦搬送ユニット１４によって感光体１５に当接する位置まで搬送される。読取ユニット５０にて読み込まれた画像データは、書込ユニット５７からのレーザによって感光体１５に書き込まれ、現像ユニット２７を通過することによってトナー像が形成される。
【００２０】
そして、転写紙は感光体１５の回転と等速で搬送ベルト１６によって搬送されながら、感光体１５上のトナー像が転写される。その後、定着ユニット１７画像を定着させ、排紙ユニット１８によって後処理装置のＺ折りユニット１３０に排出される。
【００２１】
Ｚ折りユニット１３０は、本体の排紙ユニット内の排紙ローラによって搬送された転写紙を出口排紙ローラ１３３方向に導くことができる。分岐偏向板１３２を切り替えることにより、折り処理部を経由させることができる。折り処理部においては、折りローラ１（１３４）、折りローラ２（１３５）および折りローラ３（１３６）により、用紙をＺ折りして、用紙を搬送する。用紙停止板１（１３７）および用紙停止板２（１３８）は変動可能であり、搬送される用紙サイズおよび折り位置調整データに対応した位置に移動させることで、用紙に対して適切な位置を折ることが可能になっている。そして、排紙ローラ１３３からフィニッシャ１００に排紙される。
【００２２】
後処理装置のフィニッシャ１００は、Ｚ折りユニットの出口搬送ローラ１３３によって搬送された転写紙をパンチユニット１２１を経由し、通常排紙ローラ１０２方向と、ステープル処理部方向へ導くことができる。切り替え板１０１を上に切り替えることにより、搬送ローラ１０３を経由して通常排紙トレイ１０４側に排紙することができる。
【００２３】
また、切り替え板１０１を下方向に切り替えることで搬送ローラ１０５、１０７を経由して、ステープル台１０８に搬送することができる。パンチユニット１２１は、用紙の所定位置（用紙後端部）に穿孔を行う。
【００２４】
ステープル台１０８に積載された転写紙は、一枚排紙されるごとに紙揃え用のジャガー１０９によって、紙端面が揃えられ、一部のコピー完了と共にステープラ１０６によって綴じられる。ステープラ１０６で綴じられた転写紙群は自重によってステープル完了排紙トレイ１１０に収納される。
【００２５】
一方、通常の排紙トレイ１０４は前後に移動可能な排紙トレイである。前後に移動可能な排紙トレイ部１０４は、原稿毎、あるいは画像メモリによってソーティングされたコピー部毎に、前後に移動し、簡易的に排出されてくるコピー紙を仕分けるものである。
【００２６】
感光体１５、搬送ベルト１６、定着ユニット１７、排紙ユニット１８、現像ユニット２７はメインモータ２５によって駆動され、各給紙装置１１〜１３はメインモータ２５の駆動を各々給紙クラッチ２２〜２４によって伝達駆動される。縦搬送ユニット１４はメインモータ２５の駆動を中間クラッチ２１によって伝達駆動される。
【００２７】
図２に示す操作部３０は、液晶タッチパネル３１、テンキー３２、クリア／ストップキー３３、プリントキー３４、予熱キー３５、リセットキー３６があり、液晶タッチパネル３１には、後述するモード設定のためのキーや画像形成装置の状態を示すメッセージなどが表示される。
【００２８】
次に、図３を参照して図２に示す操作部３０が備える液晶タッチパネル３１の説明をする。
オペレータが液晶タッチパネル３１に表示されたキーにタッチすることで、選択された機能を示すキーが黒く反転する。また、機能の詳細を指定しなければならない場合（例えば変倍であれば変倍値等）は、キーにタッチすることで、詳細機能の設定画面が表示される。
【００２９】
このように、液晶タッチパネル３１は、ドット表示器を使用しているため、その時の最適な表示をグラフィカルに行うことが可能となる。図３に示すように、液晶タッチパネル３１の左上は、「コピーできます」、「お待ちください」等のメッセージを表示するメッセージエリア、その右は、セットした枚数を表示するコピー枚数表示部である。
【００３０】
その他、転写紙を自動的に選択する自動用紙選択キー、コピーを一部ずつページ順に揃える処理を指定するソートキー、コピーをページ毎に仕分けする処理を指定するスタックキー、倍率を等倍にセットする等倍キー、拡大／縮小倍率をセットする変倍キー、両面モードを設定する両面キー、綴じ代モード等を設定する編集キー、表示／合紙モードを設定する表紙／合紙キーがある。また、給紙トレイ数に対応した給紙トレイ状態を示し、手動で給紙段を設定するためのキーが給紙段分表示されている。また、本実施形態では、Ｚ折りを行うためのＺ折りキー２００を備えている。ユーザは、Ｚ折りキー２００を押下することで転写紙のＺ折りを行うことができる。
【００３１】
次に、図１を参照して、画像読取手段、および画像を記録面に潜像形成するまでの動作を説明する。潜像とは感光体面上に画像を光り情報に変換して照射することにより生じる電位分布である。
読取ユニット５０は、原稿を載置するコンタクトガラス６と光学走査系で構成されており、光学走査系には、露光ランプ５１、第１ミラー５２、レンズ５３、ＣＣＤイメージセンサ５４等々で構成されている。露光ランプ５１及び第１ミラー５２は図示しない第１キャリッジ上に固定され、第２ミラー５５及び第３ミラー５６は図示しない第２キャリッジ上に固定されている。
【００３２】
原稿像を読み取るときには、光路長が変わらないように第１キャリッジ、第２キャリッジとが２対１の相対速度で機械的に走査される。この光学走査系は、図示しないスキャナ駆動モータにて駆動される。原稿画像は、ＣＣＤイメージセンサ５４によって世も取られ、電気信号に変換されて処理される。レンズ５３及びＣＣＤイメージセンサ５４を図１において左右方向に移動させることにより画像倍率が変わる。すなわち、指定された倍率に対応してレンズ５３及びＣＣＤイメージセンサ５４の左右方向に位置が設定される。
【００３３】
書込ユニット５７は、レーザ出力ユニット５８、結像レンズ５９、ミラー６０で構成され、レーザ出力ユニット５８の内部には、レーザ光源であるレーザダイオード及びモータによって高速で定速回転する回転多面鏡（ポリゴンミラー）が備わっている。レーザ出力ユニット５８より照射されるレーザ光は、定速回転するポリゴンミラーで偏光され、結像レンズ５９を通り、ミラー６０で折り返され、感光体面上に集光結像する。
【００３４】
偏光されたレーザ光は感光体が回転する方向と直行する方向（主走査方向）に露光走査され、後述する画像処理部のセレクタ６４より出力された画像信号のライン単位の記録を行う。感光体の回転速度と記録密度に対応した所定の周期で主走査を繰り返すことによって、感光体面上に画像（静電潜像）が形成される。
【００３５】
上述のように、書込ユニット５７から出力されるレーザ光が、画像作像系の感光体１５に照射される。図示しないが感光体１５の一端近傍のレーザビームを照射される位置に、主走査同期信号を発生するビームセンサが配置されている。この主走査同期信号をもとに、主走査方向の画像記録開始タイミングの制御および後述する画像信号の入出力を行うための制御信号の生成を行う。
【００３６】
次に、図５を参照して、画像処理部（画像読取部と画像書込部）の構成について説明する。
露光ランプ５１から照射された光は原稿面を照射し、原稿面からの反射光をＣＣＤイメージセンサ５４にて結像レンズ（図示せず）により結像、受光して光電変換し、Ａ／Ｄコンバータ６１にてデジタル信号に変換するデジタル信号に変換された画像信号は、シェーディング補正６２がなされた後、画像処理部６３にてＭＴＦ補正、γ補正等がなされる。セレクタ６４では、画像信号の送り先を書込γ補正部７１または、画像メモリコントローラ６５への切り替えが行われる。書込γ補正部７１を経由した画像信号を入出力可能な構成となっている。図５に示していないが、画像処理部（ＩＰＵ）には、読取部５０から入力される画像データ以外にも外部から供給される画像データ（例えばパーソナルコンピュータ等のデータ処理装置から出力されるデータ）も処理できるよう、複数のデータの入出力の選択を行う機能を有している。
【００３７】
計時ユニット７３は、年月日や時刻をリアルタイムに計時しており、ユニットにアクセスすることにより現在時刻を読み取ることができる。
画像メモリコントローラ６５等への設定や、読取部５０、書込部５７の制御を行うＣＰＵ６８、およびそのプログラムやデータを格納するＲＯＭ６９、ＲＡＭ７０を備えている。さらにＣＰＵ６８は、メモリコントローラ６５を介して、画像メモリ６６のデータの書き込み、読み出しが行える。また、画像メモリ６６の内容と退避させたり、保存させたりするためのＨＤＤ７１を備えている。
【００３８】
次に、図６を参照して、セレクタ６４における１ページ分の画像信号について説明する。
／ＦＧＡＴＥは、１ページの画像データの副走査方向の有効期間を表している。／ＬＳＹＮＣは、１ライン毎の主走査同期信号であり、この信号が立ち上がった後の所定クロックで画像信号が有効となる。主走査方向の画像信号が有効であることを示す信号が／ＬＧＡＴＥである。これらの信号は、画素クロックＶＣＬＫに同期しており、ＶＣＬＫの１周期に対し１画素のデータが送られてくる。画像処理部（ＩＰＵ）４９は、画像入力、出力それぞれに対して別個の／ＦＧＡＴＥ、／ＬＳＹＮＣ、／ＬＧＡＴＥ、ＶＣＬＫの発生機構を有しており、様々な画像入出力の組み合わせが実現可能になる。
【００３９】
次に、図１に示したＺ折りユニット１３０におけるＺ折り印刷中に用紙がなくなったときの処理動作を図７に示すフローチャートを参照して説明する。
まず、Ｚ折りとは例えば長方形にカットされたシートを横長に広げた状態から、これを長手方向１／２の位置にて２つに折り返し、さらにこの折り返しにより、上になったシート部分を該シート部分の長手方向１／２の位置にて外側に折り返するものであり、折り目の折線方向から見ると略Ｚ字状に見えることからＺ折りと称する。
なお、本実施形態における同一方向という表現において、転写紙を１８０°回転させた場合でも同一方向とみなす。
【００４０】
そこで、Ｚ折り印刷中に用紙がなくなった時に、まず、印刷中の用紙と同一サイズ、同一方向の用紙があるか判断する（ステップＳ１００）。ステップＳ１００では、図４に示すメインコントローラ２０によって複数ある給紙トレイの中から印刷中の用紙と同一サイズ、同一方向の用紙があるかを判断している。同一サイズ、同一方向の用紙がある場合は（ステップＳ１００／ＹＥＳ）、同一サイズ、同一方向の用紙に切り換えて処理動作を継続する（ステップＳ１０４）。
【００４１】
また、印刷中の用紙と同一サイズ、同一方向の用紙が無いと判断された場合は（ステップＳ１００／ＮＯ）、次に、印刷中の用紙と同一サイズ、異方向の用紙があるか否かの判断をする（ステップＳ１０１）。同一サイズ、異方向の用紙が無い場合は（ステップＳ１０１／ＮＯ）、印刷動作を停止させる（ステップＳ１０５）。また、同一サイズ、異方向の用紙が有る場合は（ステップＳ１０１／ＹＥＳ）、Ｚ折りを解除した警告を操作部３０が備える液晶タッチパネル３１に表示する（ステップＳ１０３）。
【００４２】
また、図８に示すように、液晶タッチパネル３１に表示された警告をユーザが認識すると、確認キーが押下されたか否かの判断をする（ステップＳ２００）。確認キーが押下されない場合は（ステップＳ２００／ＮＯ）、確認キーを表示し続ける。また、確認キーが押下された場合は（ステップＳ２００／ＹＥＳ）、警告表示を消去する（ステップＳ２０１）。
【００４３】
以上の説明から本実施形態によれば、画像形成した用紙をＺ折りするＺ折りモード中に給紙トレイに用紙がなくなってしまった場合にも、他の給紙トレイを選択し、その給紙トレイに積載されている用紙がＺ折りモード中に使用していた用紙と同一サイズ、同一方向の用紙であるか判断し、同一サイズ、同一方向である場合は、そのままＺ折りモードを継続させることができる。これにより、Ｚ折りモード中に給紙トレイの用紙がなくなってしまった場合にでも印刷を中断することなく画像形成動作を継続させることができる。
【００４４】
また、選択した他の給紙トレイに積載されている用紙が、同一サイズ、異方向の用紙の場合にはＺ折りモードを中止し、Ｚ折りを行わずに印刷を継続すると同時にユーザに対して、Ｚ折りモードを中止したことを液晶タッチパネル３１に表示する。この表示はユーザが確認するまで表示し続けることで、ユーザにＺ折りモードの中止を確実に認識させることができる。
【図面の簡単な説明】
【００４５】
【図１】本実施形態における画像形成装置の構成を示した図である。
【図２】本実施形態における操作部の構成を示した図である。
【図３】本実施形態における液晶タッチパネルの表示一例を示した図である。
【図４】本実施形態における画像形成装置の制御を行う制御系の構成を示した図である。
【図５】本実施形態における画像処理部の構成を示した図である。
【図６】本実施形態におけるセレクタにおける１ページ分の画像信号のタイミングチャートである。
【図７】本実施形態におけるＺ折り印刷中に用紙がなくなった場合における処理動作を示したフローチャートである。
【図８】本実施形態におけるＺ折り印刷中止を表示する場合の処理動作を示したフローチャートである。
【図９】本実施形態におけるＺ折り印刷中止の警告の表示一例を示した図である。
【符号の説明】
【００４６】
３０    操作部
３１    液晶タッチパネル
３２    テンキー
３３    クリア／ストップキー
３４    プリントキー
３５    予熱キー
３６    リセットキー
２００    Ｚ折りキー
【図１】
2006131345.tif 000003
【図２】
2006131345.tif 000004
【図３】
2006131345.tif 000005
【図４】
2006131345.tif 000006
【図５】
2006131345.tif 000007
【図６】
2006131345.tif 000008
【図７】
2006131345.tif 000009
【図８】
2006131345.tif 000010
【図９】
2006131345.tif 000011